(57)【要約】      （修正有）【課題】被収納物を効率良く冷却ないし加温するようにしたプラスチックボトルを提供する。【解決手段】プラスチックボトル１の胴部３には、該胴部の表面３ａより少なくとも飲み口９における外周面の延長面９ｂ附近に至る縦溝１３を形成し、該縦溝は該胴部を該胴部の底部より該胴部の肩部まで貫くことを特徴とするプラスチックボトル。前記縦溝は前記胴部に複数個形成してもよい。前記縦溝内には保冷材又は保温材１５を挟着してもよい。【選択図】図３
2011105332.tif 000002
【特許請求の範囲】
【請求項１】
プラスチックボトルの胴部には、該胴部の表面より少なくとも飲み口における外周面の延長面附近に至る縦溝を形成し、該縦溝は該胴部を該胴部の底部より該胴部の肩部まで貫くことを特徴とするプラスチックボトル。
【請求項２】
前記縦溝は前記胴部に複数個形成したことを特徴とする請求項１に記載のプラスチックボトル。
【請求項３】
前記縦溝内には保冷材又は保温材を挟着したことを特徴とする請求項１又は２に記載のプラスチックボトル。
【発明の詳細な説明】
【技術分野】
【０００１】
本発明は、プラスチックボトルに関するものであり、特に、例えば清涼飲料、果実飲料、茶、コーヒー、ココア、ビール等を効率良く冷却ないし加温することができるように収納するペットボトル等のプラスチックボトルに係るものである。
【０００２】
本出願においては、プラスチックボトル内に収納される例えば清涼飲料、果実飲料、茶、コーヒー、ココア、ビール等のものを単に「被収納物」という。
【背景技術】
【０００３】
プラスチックボトルとしては、例えば特開平８−４０４３８号公報に示すように、該プラスチックボトルの胴部に補強縦溝を形成してなるもの（以下単に「従来のプラスチックボトル」という。）が既に知られている。  
【先行技術文献】
【特許文献】
【０００４】
【特許文献１】特開平８−４０４３８号公報
【発明の概要】
【発明が解決しようとする課題】
【０００５】
しかるに、上記従来のプラスチックボトルにおける補強縦溝は、極めて浅い溝であって、プラスチックボトル自体の補強用ないし変形防止用に形成されたものであり、被収納物を効率良く冷却ないし加温するという作用効果とは無関係である。
【０００６】
本発明は、被収納物を効率良く冷却ないし加温するようにしたプラスチックボトルを提供しようとしてなされたものである。
【課題を解決するための手段】
【０００７】
上記課題を解決するために、本発明は、下記のプラスチックボトルを提供する。
【０００８】
（１）プラスチックボトルの胴部には、該胴部の表面より少なくとも飲み口における外周面の延長面附近（延長面近傍）に至る縦溝を形成し、該縦溝は該胴部を該胴部の底部より該胴部の肩部まで貫くことを特徴とするプラスチックボトル（請求項１）。
【０００９】
（２）前記縦溝は前記胴部に複数個形成する（請求項２）。
【００１０】
（３）前記縦溝内には保冷材又は保温材を挟着する（請求項３）。
【発明の効果】
【００１１】
［請求項１の発明］
プラスチックボトルの胴部には、該胴部の表面より少なくとも飲み口における外周面の延長面附近に至る縦溝を形成しているため、本発明における縦溝は上記従来のプラスチックボトルにおける補強縦溝よりもはるかに深い溝であり、プラスチックボトルの内部まで達する。したがって、本発明における縦溝は、外気と接する広い表面積を有し、しかもプラスチックボトルの内部まで深く達する。その結果、被収納物の冷却時又は加温時における熱交換が効果的に行われる。
【００１２】
更に、本発明における縦溝は、プラスチックボトルの胴部を該胴部の底部より該胴部の肩部まで貫くものであるため、外気は該縦溝内を上下方向ないしプラスチックボトルの長さ方向に通過して流れる。換言すれば、該縦溝は、胴部の底部と肩部との両端においても開口しているため、外気は該縦溝内に留まることなく、該縦溝内を当該方向に円滑に通過する。したがって、被収納物の冷却時又は加温時における熱交換は一層効果的に行われる。
【００１３】
このように、被収納物の冷却時又は加温時における熱交換が効果的に行われるため、被収納物の冷却、加温、所定温度での保存等に要するエネルギーの消費と費用とが削減される。
【００１４】
［請求項２の発明］
前記縦溝はプラスチックボトルの胴部に複数個形成されているため、被収納物の冷却時又は加温時における熱交換は更に効果的に行われる。
【００１５】
［請求項３の発明］
前記縦溝内には保冷材又は保温材を挟着するようにしたため、被収納物の冷却、加温、所定温度での保存等は、より効果的かつ低コストで行うことができる。
【図面の簡単な説明】
【００１６】
【図１】図１は、本発明によるプラスチックボトルの一例を示す縦断面図である。
【図２】図２は、同上プラスチックボトルの平面図である。
【図３】図３は、本発明によるプラスチックボトルの別の一例を示す横断面図である。
【図４】図４は、本発明によるプラスチックボトルの更に別の一例を示す横断面図である。
【発明を実施するための形態】
【００１７】
符号１に示すものはプラスチックボトルである。プラスチックボトル１は、一例としてポリエチレンテレフタレートにより形成されたペットボトルとするが、他の合成樹脂により形成されたボトルであっても差し支えない。
【００１８】
符号３に示すものはプラスチックボトル１の胴部である。胴部３は下端を底部５とし、上端を肩部７とする。図１に示す事例における胴部３は湾曲した肩部７を備えているが、肩部７は底部５と略平行に形成されたものであっても差し支えない。
【００１９】
プラスチックボトル１の胴部３は、上端中央部に飲み口９を備えている。飲み口９は略円筒状をなし、飲み口９の下端は肩部７に連なる。符号１１に示すものは飲み口９に着脱自在に外嵌されるキャップである。キャップ１１は、一例として、飲み口９に螺合される。
【００２０】
しかして、本発明においては、プラスチックボトル１の胴部３には、該胴部３の表面３ａより少なくとも飲み口９における外周面９ａの延長面９ｂ附近に至る縦溝１３を形成する。
【００２１】
すなわち、縦溝１３の最深部１３ａは、図１、図４に示すように飲み口９における外周面９ａの延長面９ｂ附近にあり、又は、図３に示すように飲み口９における外周面９ａの延長面９ｂよりも胴部３の中心３ｂに近い位置（該延長面９ｂよりも深い位置）にある。
【００２２】
更に、縦溝１３は、プラスチックボトル１の胴部３を胴部３の底部５より胴部３の肩部７まで貫く。すなわち、縦溝１３は、胴部３の底部５と肩部７との両端においても開口している。換言すれば、縦溝１３はプラスチックボトル１の胴部３を上下方向に貫通している。
【００２３】
縦溝１３は、例えば、横断面において略Ｖ字状ないし略Ｕ字状をなすものであることが好ましい。
【００２４】
縦溝１３は胴部３に複数個形成してもよい。図１〜図３に示す事例においては、縦溝１３は胴部３に１個形成されているが、図４に示す事例においては、縦溝１３は胴部３に２個対称的に形成されている。縦溝１３は、胴部３に３個以上形成しても差し支えない。
【００２５】
縦溝１３内には適宜の保冷材又は保温材１５を挟着してもよい。図３参照。
【符号の説明】
【００２６】
１  プラスチックボトル
３  胴部
３ａ  表面
３ｂ  中心
５  底部
７  肩部
９  飲み口
９ａ  外周面
９ｂ  延長面
１１  キャップ
１３  縦溝
１３ａ  最深部
１５  保冷材又は保温材
【図１】
2011105332.tif 000003
【図２】
2011105332.tif 000004
【図３】
2011105332.tif 000005
【図４】
2011105332.tif 000006